【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
双方向レベル・シフターを有する集積回路であって、
前記双方レベル・シフターは、
入力及び出力として動作可能な第１の信号端子であって、入力として動作可能なとき、第１の信号端子が前記集積回路の第１の電圧ドメインに適合した第１の信号を受け取り、また出力として動作可能なとき、第１の信号端子が前記集積回路の第１の電圧ドメインに適合したシフトされた信号を与える、第１の信号端子と、
出力及び入力として動作可能な第２の信号端子であって、出力として動作可能なとき、第２の信号端子が前記集積回路の第２の電圧ドメインに適合したシフトされた信号を与え、また入力として動作可能なとき、第２の信号端子が前記集積回路の第２の電圧ドメインに適合した第２の信号を受け取る、第２の信号端子と、
第１の信号端子と第２の信号端子との間に結合された双方向レベル・シフト回路と、を備え、
前記双方向レベル・シフト回路は、第１の信号端子が入力として動作可能であるとき、第１の電圧ドメインに適合した第１の信号を、第２の電圧ドメインに適合したシフトされた信号に変換し、
前記双方向レベル・シフト回路は、第２の信号端子が入力として動作可能であるとき、第２の電圧ドメインに適合した第２の信号を、第１の電圧ドメインに適合したシフトされた信号に変換する、集積回路。
【請求項２】
双方向レベル・シフターを有する集積回路であって、
前記双方レベル・シフターは、
入力及び出力として動作可能な第１の信号端子であって、入力として動作可能なとき、第１の信号端子が前記集積回路の第１の電圧ドメインに適合した第１の信号を受け取り、また出力として動作可能なとき、第１の信号端子が前記集積回路の第１の電圧ドメインに適合したシフトされた信号を与える、第１の信号端子と、
出力及び入力として動作可能な第２の信号端子であって、出力として動作可能なとき、第２の信号端子が前記集積回路の第２の電圧ドメインに適合したシフトされた信号を与え、また入力として動作可能なとき、第２の信号端子が前記集積回路の第２の電圧ドメインに適合した第２の信号を受け取る、第２の信号端子と、
第１の信号端子と第２の信号端子との間に結合されたレベル・シフト回路と、を備え、
前記レベル・シフト回路は、第１の信号端子が入力として動作可能であるとき、第１の電圧ドメインに適合した第１の信号を、第２の電圧ドメインに適合したシフトされた信号に変換し、
前記レベル・シフト回路は、第２の信号端子が入力として動作可能であるとき、第２の電圧ドメインに適合した第２の信号を、第１の電圧ドメインに適合したシフトされた信号に変換し、
前記レベル・シフト回路は更に、少なくとも１つの電流遮断トランジスタを含み、
前記少なくとも１つの電流遮断トランジスタは、非導通であることに応答して、第１の電圧ドメインの電源と第２の電圧ドメインの電源との間の電流経路を流れる電流を遮断するよう動作する、集積回路。
【請求項３】
双方向レベル・シフターを有する集積回路であって、
前記双方レベル・シフターは、
入力及び出力として動作可能な第１の信号端子であって、入力として動作可能なとき、第１の信号端子が前記集積回路の第１の電圧ドメインに適合した第１の信号を受け取り、また出力として動作可能なとき、第１の信号端子が前記集積回路の第１の電圧ドメインに適合したシフトされた信号を与える、第１の信号端子と、
出力及び入力として動作可能な第２の信号端子であって、出力として動作可能なとき、第２の信号端子が前記集積回路の第２の電圧ドメインに適合したシフトされた信号を与え、また入力として動作可能なとき、第２の信号端子が前記集積回路の第２の電圧ドメインに適合した第２の信号を受け取る、第２の信号端子と、
第１の信号端子と第２の信号端子との間に結合されたレベル・シフト回路と、を備え、
前記レベル・シフト回路は、第１の信号端子が入力として動作可能であるとき、第１の電圧ドメインに適合した第１の信号を、第２の電圧ドメインに適合したシフトされた信号に変換し、
前記レベル・シフト回路は、第２の信号端子が入力として動作可能であるとき、第２の電圧ドメインに適合した第２の信号を、第１の電圧ドメインに適合したシフトされた信号に変換し、
前記双方レベル・シフターが、第１の電圧ドメインと第２の電圧ドメインとの間のドメイン境界を横切る唯１つの信号線を有する、集積回路。
【請求項４】
双方向レベル・シフターを有する集積回路であって、
前記双方レベル・シフターは、
入力及び出力として動作可能な第１の信号端子であって、入力として動作可能なとき、第１の信号端子が前記集積回路の第１の電圧ドメインに適合した第１の信号を受け取り、また出力として動作可能なとき、第１の信号端子が前記集積回路の第１の電圧ドメインに適合したシフトされた信号を与える、第１の信号端子と、
出力及び入力として動作可能な第２の信号端子であって、出力として動作可能なとき、第２の信号端子が前記集積回路の第２の電圧ドメインに適合したシフトされた信号を与え、また入力として動作可能なとき、第２の信号端子が前記集積回路の第２の電圧ドメインに適合した第２の信号を受け取る、第２の信号端子と、
第１の信号端子と第２の信号端子との間に結合されたレベル・シフト回路と、を備え、
前記レベル・シフト回路は、第１の信号端子が入力として動作可能であるとき、第１の電圧ドメインに適合した第１の信号を、第２の電圧ドメインに適合したシフトされた信号に変換し、
前記レベル・シフト回路は、第２の信号端子が入力として動作可能であるとき、第２の電圧ドメインに適合した第２の信号を、第１の電圧ドメインに適合したシフトされた信号に変換し、
前記レベル・シフト回路が、第１の信号端子と第２の信号端子との間の電流経路を備え、
前記電流経路が、第１のトランジスタ及び第２のトランジスタを含み、
前記第１のトランジスタが、第１の電圧ドメイン内に配設され、
前記第１のトランジスタは、第１の信号端子に結合された第１の電流端子と、第１の電圧ドメインの電源に結合された制御端子と、第２の電流端子とを有し、
前記第２のトランジスタが、第２の電圧ドメイン内に配設され、
前記第２のトランジスタは、第２の信号端子に結合された第１の電流端子と、第２の電圧ドメインの電源に結合された制御端子と、前記第１のトランジスタの第２の電流端子に結合された第２の電流端子とを有する、集積回路。
【請求項５】
双方向レベル・シフターを有する集積回路であって、
前記双方レベル・シフターは、
入力及び出力として動作可能な第１の信号端子であって、入力として動作可能なとき、第１の信号端子が前記集積回路の第１の電圧ドメインに適合した第１の信号を受け取り、また出力として動作可能なとき、第１の信号端子が前記集積回路の第１の電圧ドメインに適合したシフトされた信号を与える、第１の信号端子と、
出力及び入力として動作可能な第２の信号端子であって、出力として動作可能なとき、第２の信号端子が前記集積回路の第２の電圧ドメインに適合したシフトされた信号を与え、また入力として動作可能なとき、第２の信号端子が前記集積回路の第２の電圧ドメインに適合した第２の信号を受け取る、第２の信号端子と、
第１の信号端子と第２の信号端子との間に結合されたレベル・シフト回路と、を備え、
前記レベル・シフト回路は、第１の信号端子が入力として動作可能であるとき、第１の電圧ドメインに適合した第１の信号を、第２の電圧ドメインに適合したシフトされた信号に変換し、
前記レベル・シフト回路は、第２の信号端子が入力として動作可能であるとき、第２の電圧ドメインに適合した第２の信号を、第１の電圧ドメインに適合したシフトされた信号に変換し、
前記レベル・シフト回路が更に、
第１の電圧ドメインに配置された第１のトランジスタであって、第１の電圧ドメインの電源に結合された第１の電流端子と、第１の信号端子に結合された第２の電流端子と、制御端子とを有する第１のトランジスタと、
第１の電圧ドメインに配置された第２のトランジスタであって、第１の電圧ドメインの電源に結合された第１の電流端子と、前記第１のトランジスタの制御端子に結合された第２の電流端子と、第１の信号端子に結合された制御端子とを有する第２のトランジスタと、
第２の電圧ドメインに配置された第３のトランジスタであって、第２の電圧ドメインの電源に結合された第１の電流端子と、第２の信号端子に結合された第２の電流端子と、制御端子とを有する第３のトランジスタと、
第２の電圧ドメインに配置された第４のトランジスタであって、第２の電圧ドメインの電源に結合された第１の電流端子と、前記第３のトランジスタの制御端子に結合された第２の電流端子と、第２の信号端子に結合された制御端子とを有する第４のトランジスタと、を備える、集積回路。
【請求項６】
双方向レベル・シフターを有する集積回路であって、
前記双方レベル・シフターは、
入力及び出力として動作可能な第１の信号端子であって、入力として動作可能なとき、第１の信号端子が前記集積回路の第１の電圧ドメインに適合した第１の信号を受け取り、また出力として動作可能なとき、第１の信号端子が前記集積回路の第１の電圧ドメインに適合したシフトされた信号を与える、第１の信号端子と、
出力及び入力として動作可能な第２の信号端子であって、出力として動作可能なとき、第２の信号端子が前記集積回路の第２の電圧ドメインに適合したシフトされた信号を与え、また入力として動作可能なとき、第２の信号端子が前記集積回路の第２の電圧ドメインに適合した第２の信号を受け取る、第２の信号端子と、
第１の信号端子と第２の信号端子との間に結合されたレベル・シフト回路と、を備え、
前記レベル・シフト回路は、第１の信号端子が入力として動作可能であるとき、第１の電圧ドメインに適合した第１の信号を、第２の電圧ドメインに適合したシフトされた信号に変換し、
前記レベル・シフト回路は、第２の信号端子が入力として動作可能であるとき、第２の電圧ドメインに適合した第２の信号を、第１の電圧ドメインに適合したシフトされた信号に変換し、
前記集積回路が更に、
第１の信号端子に結合された第１の回路であって、当該第１の回路が前記シフトされた信号を第１の信号端子から受け取ることを可能にするための回路と、前記第１の回路が前記第１の信号を第１の信号端子へ与えることを可能にするための回路とを含む第１の回路と、
第２の信号端子に結合された第２の回路であって、当該第２の回路が前記シフトされた信号を第２の信号端子から受け取ることを可能にするための回路と、前記第２の回路が前記第２の信号を第２の信号端子へ与えることを可能にするための回路とを含む第２の回路とを備える、集積回路。
【請求項７】
第１の電圧ドメインに適合した第１の信号をレベル・シフターの第１の信号端子に与えるステップを備え、
第１の信号を与える前記ステップに応答して、前記レベル・シフターが、当該レベル・シフターの第２の信号端子に、第２の電圧ドメインに適合したシフトされた信号を与え、
第２の電圧ドメインに適合した第２の信号を前記レベル・シフターの信号端子に与えるステップを更に備え、
第２の信号を与える前記ステップに応答して、前記レベル・シフターが、前記第１の信号端子に、第１の電圧ドメインに適合したシフトされた信号を与え、
前記第１の信号端子が高電圧であるとき、第１の電圧ドメインの電源と第２の電圧ドメインの電源との間の前記レベル・シフターの電流経路の電流を遮断するステップを更に備える方法。
【請求項８】
レベル・シフターを有する集積回路であって、
前記レベル・シフターは、
前記集積回路の第１の電圧ドメインに適合した第１の信号を受け取るよう構成された第１の信号端子と、
前記集積回路の第２の電圧ドメインに適合したシフトされた信号を出力するよう構成された第２の信号端子と、を備え、
前記第２の電圧ドメインが、前記第１の電圧ドメインの電源の電圧より高い電源電圧を含み、
前記レベル・シフターは更に、前記第２の電圧ドメインに配置されたレベル・シフト回路を備え、
前記レベル・シフト回路は、前記第１の電圧ドメインから信号線を介して受け取られた前記第１の信号を前記シフトされた信号に変換し、
前記レベル・シフト回路は、前記信号線が高電圧であるとき第２の電圧ドメインの電源により供給される前記信号線を含む電流経路の電流を遮断する手段を含む、集積回路。